(57)【要約】【課題】低刺激でありながら、安定性がたかく、使用感が良好でのびや塗布のしやすさといった使用性も良好なたん白繊維処理剤を提供することを課題とする。【解決手段】エステルクワットと特定の非イオン界面活性剤を配合することにより、透明または半透明の皮膚や目に対して刺激の少ない使用感の優れたたん白繊維処理組成物である。【選択図】なし【特許請求の範囲】
【請求項１】
下記成分（Ａ）、（Ｂ）、（Ｃ）、（Ｄ）を配合してなる透明または半透明なたん白繊維処理組成物。
（Ａ）は一般式：
【化１】
2006241622.tif 000008
（式中、Ｒ１ＣＯは炭素数が１２〜２２で０，１，２または３個の二重結合を有する脂肪族アシル基、ｎは２または３、Ｘはハロゲン化合物、メトスルフェートまたはメトホォスフェートを示す）で表されるエステルクワットである。
（Ｂ）は一般式：
【化２】
2006241622.tif 000009
(式中Ｒ２は炭素数８〜２０のアシル基であり、ｍは１〜１０を示す)で表される非イオン界面活性剤。
（Ｃ）は一般式：
【化３】
2006241622.tif 000010
（式中Ｒ３は炭素数８〜１６のアシル基であり、ｐ+ｒ＝１〜５であり、ｑ＋ｓ＝７〜１２を示す）で表される非イオン界面活性剤である。
（Ｄ）は一般式：
【化４】
2006241622.tif 000011
または
【化５】
2006241622.tif 000012
（式中Ｒ４は炭素数１１〜２１の直鎖または分岐鎖のアルキル基またはヒドロキシアルキル基またはアルキレン基またはヒドロキシアルキレン基であり、t＋ｕ＋ｖは２０〜４５を示す）で表される非イオン界面活性剤である。
【請求項２】
エステルクワットの総量が非イオン界面活性剤の総量に対して重量比で、１：１〜１：５である請求項１に記載のたん白繊維処理組成物。
【発明の詳細な説明】
【背景技術】
【０００１】
たん白繊維処理剤として、柔軟性をもたせ摩擦を軽減し艶や帯電防止効果を付与するためにモノまたはジアルキル四級アンモニウム塩などのカチオン界面活性剤が配合されてきた。しかし、近年は皮膚や目に対する刺激が低いことも望まれている。こうしたなか特開平７−５０９４４３で安全性の高いエステルクワットを含有する毛髪手入れ用製剤への応用が開示されている。また、特開２００２−１０４９３６に水に不溶性のエステルクワットを安定にするため透明な製剤にすることが開示されている。
製剤の安定化および帯電防止効果や櫛通り性は向上できたが、しっとり感や吸着感といった使用感を十分に満足させるものではなかった。
【特許文献１】特開平７−５０９４４３
【特許文献２】特開２００２−１０４９３６
【発明の開示】
【発明が解決しようとする課題】
【０００２】
低刺激でありながら、安定性がたかく、使用感が良好でのびや塗布のしやすさといった使用性も良好なたん白繊維処理剤を提供することにある。
【課題を解決するための手段】
【０００３】
エステルクワットと特定の非イオン界面活性剤の組み合わせ、特定の割合で配合することにより課題を解決することを見出し本発明を完成するにいたった。すなわち、下記成分（Ａ）、（Ｂ）、（Ｃ）、（Ｄ）を配合してなる透明または半透明なたん白繊維処理組成物である。
（Ａ）は一般式
【０００４】
【化１】
2006241622.tif 000002
（式中、Ｒ１ＣＯは炭素数が１２〜２２で０，１，２または３個の二重結合を有する脂肪族アシル基、ｎは２または３、Ｘはハロゲン化合物、メトスルフェートまたはメトホォスフェートを示す）で表されるエステルクワットである。
（Ｂ）は一般式
【０００５】
【化２】
2006241622.tif 000003
(式中Ｒ２は炭素数８〜２０のアシル基であり、ｍは１〜１０を示す)で表される非イオン界面活性剤。
（Ｃ）は一般式
【０００６】
【化３】
2006241622.tif 000004
（式中Ｒ３は炭素数８〜１６のアシル基であり、ｐ+ｒ＝１〜５であり、ｑ＋ｓ＝７〜１２を示す）で表される非イオン界面活性剤である。
（Ｄ）は一般式
【０００７】
【化４】
2006241622.tif 000005
または
【０００８】
【化５】
2006241622.tif 000006
（式中Ｒ４は炭素数１１〜２１の直鎖または分岐鎖のアルキル基またはヒドロキシアルキル基またはアルキレン基またはヒドロキシアルキレン基であり、t＋ｕ＋ｖは２０〜４５を示す）で表される非イオン界面活性剤である。
【０００９】
以下、本発明を詳細に説明する。本発明で用いられるエステルクワットは、唯一種配合することもできるし、二種以上の組み合わせで配合させることもできる。配合量は、好ましくは０．１から１０重量％であり、更に好ましくは０．５から７重量％である。０．１重量％より少ないと十分な効果が得られず、１０重量％より多いとすすぎ等の使用性に問題が起こる。
【００１０】
本発明で用いる（Ｂ）の非イオン界面活性剤は具体的には、ポリオキシエチレン（７）ラウリルエーテル、ポリオキシエチレン（１２）オクチルドデシルエーテル、ポリオキシエチレン（１０）イソステアリルエーテル等が挙げられる。ＨＬＢが１０以下が好ましい。
ここで、ＨＬＢは、非イオン界面活性剤の全分子量に占める親水基部分の分子量を示すものであり、次に示すＧｒｉｆｆｉｎの式により求められるものである。
ＨＬＢ価＝Ｅ／５
Ｅ：界面活性剤分子中に含まれるポリオキシエチレン部分の重量％
【００１１】
本発明で用いられる（Ｃ）の非イオン界面活性剤は具体的には、ポオキシエチレン（９）ポリオキシプロピレン（１）ラウリルジグリコールエーテル、ポリオキシエチレン（１５）ポリオキシプロピレン（４）ヘキシルデシルジグリコールエーテル等が挙げられる。ＨＬＢは１２以上が好ましい。
【００１２】
本発明で用いられる（Ｄ）の非イオン界面活性剤は具体的には、ポリオキシエチレン（２５）硬化ヒマシ油、ポリオキシエチレン（４０）硬化ヒマシ油、ポリオキシエチレン（２０）トリイソステアリン酸グリセリン、ポリオキシエチレン（４０）トリオレイン酸グリセリン等が挙げられる。ＨＬＢは７〜１３が好ましい。
【００１３】
本発明のたん白繊維処理組成物には、上記の成分以外にも通常化粧品で一般に使用されているものを本発明の効果を損ねない範囲内で配合することが出来る。これらの成分としては、流動パラフィン、ポリイソブテン等の炭化水素、スクワラン、ラノリン、オリーブ油、サフラワー油等の動植物油、エステル油、エーテル油、グリセライド、シリコーン類、キャンデリラロウ、パラフィン等のロウ類、高級アルコール、低級アルコール、高級脂肪酸、グリセリン、１，３ブチレングリコール、プロピレングリコール等多価アルコール類、カチオン化セルロース、グアガム、ヒドロキシエチルセルロース等高分子樹脂、紫外線吸収剤、薬効成分、イオン性界面活性剤等界面活性剤、防腐剤、色素、香料、ｐＨ調整剤、キレート剤、酸化防止剤等が挙げられる。
【発明の効果】
【００１４】
本発明のたん白繊維処理組成物は、エステルクワットと特定の非イオン界面活性剤を配合することにより、透明または半透明の皮膚や目に対して刺激の少ない使用感の優れたたん白繊維処理組成物である。
【実施例】
【００１５】
透明性の試験は０℃、室温、４０℃、５０℃の各温度に静置し１週間後に目視確認をおこなった。皮膚及び目刺激性、使用感は、１８〜４６才の女性パネラー２０名でおこなった。
【００１６】
透明性の評価は、○：透明、△：曇り、×：白濁または分離とした。
刺激性の評価は、◎：全員なし、○：９０％以上がなし、△：５０〜９０％がなし、×：５０％未満がなしとした。
使用感の評価は、比較例１に比べ○：７５％以上がよい、△：７５％以上がかわらない、×：７５％以上がわるいとした。
【００１７】
【表１】
2006241622.tif 000007